(57)【要約】客室および貨物室を有する実用車両用の向上された展開可能キャノピーが本明細書中に提供される。一態様によれば、システムは、屋根部分およびそこから下方に延在する後方柱を有する展開可能キャノピーを備える。貨物室を選択的に囲むために、収容位置から展開位置に長手方向に、屋根部分は客室屋根トラックに沿って摺動し、柱は貨物室縁トラックに沿って摺動する。展開可能キャノピーは、その内部にサイドパネルを水平方向に収容し得、キャノピーの展開時、サイドパネルは、そこから、トラックの構成を用いて、通常自動機械アクチュエータ制御のもと、水平方向から垂直方向に移行しながら摺動する。別の態様によれば、システムは、前方ビルダーバーと後方ビルダーバーの間で長手方向に選択的に係合しかつサイドカバーがそこからビルダーバートラック内で広がり摺動する長手方向外側開口を有する取り外し可能なカセットを有する。【選択図】図１
2020519531.tif 000002
【特許請求の範囲】
【請求項１】
客室および貨物室を有する実用車両用の展開可能キャノピーシステムであって、前記システムは、展開可能キャノピーを備え、前記キャノピーは、屋根部分および後方移動柱を備え、前記キャノピーの前部は、屋根に搭載された客室トラックと係合し、前記後方柱の遠位端は、前記展開可能キャノピーが、前記屋根部分が実質的に前記客室の上に在る収容位置から前記屋根部分が前記貨物室を実質的に被覆する展開構成に長手方向に摺動可能となるように、前記貨物室の貨物室縁トラックと係合し、前記屋根部分は、前記展開構成において前記貨物室の側部を被覆する展開のために、サイドパネルを前記収容位置に水平方向に収容し、各サイドパネルは、内縁および外縁を画定し、前記内縁は、対向する水平屋根部分トラック内を水平方向に摺動し、前記外縁は、前記後方柱と前記客室の間で、対向する内向き垂直トラック内を垂直方向に摺動し、前記内向き垂直トラックは、前方および後方垂直トラックを備え、前記水平屋根部分トラックは、前方および後方水平トラックを備え、前記展開位置において、前記前方水平トラックと垂直トラックは整列する、展開可能キャノピーシステム。
【請求項２】
前記システムが、さらに、前記前方垂直トラックを有する固定前方柱を備える、請求項１に記載の展開可能キャノピーシステム。
【請求項３】
前記後方柱が、実質的に直交する後方部分および外側部分を備え、前記収容構成において、前記外側部分は、前記前方柱に重なるまたは隣接する、請求項２に記載の展開可能キャノピーシステム。
【請求項４】
前記パネルが、前記トラック内で動くベアリングを備える、請求項１に記載の展開可能キャノピーシステム。
【請求項５】
前記ベアリングが、前記トラック内の拡大チャネル内に固定されている、請求項４に記載の展開可能キャノピーシステム。
【請求項６】
前記貨物室縁トラックが、対向する内向きの入口を有する、請求項５に記載の展開可能キャノピーシステム。
【請求項７】
対応する開口内で選択的に係止するパネル係止ピンをさらに備える、請求項１に記載の展開可能キャノピーシステム。
【請求項８】
前記パネルが、少なくとも１つのサイドパネル位置において対応する開口内で選択的に係止する選択的長手方向延在係止ピンを備え、前記開口は、前記トラックと一列に並んで位置する、請求項１に記載の展開可能キャノピーシステム。
【請求項９】
前記係止ピンが、前記パネルのベアリングと同軸上にある、請求項８に記載の展開可能キャノピーシステム。
【請求項１０】
前記パネルの外縁および前記貨物室に対してシーリングを行う縁部のシールをさらに備える、請求項１に記載の展開可能キャノピーシステム。
【請求項１１】
前記パネルの側部外向き縁および前記柱の対応する内向き縁に対してシーリングを行う外側のシールをさらに備える、請求項１に記載の展開可能キャノピーシステム。
【請求項１２】
前記パネルが、電気機械式アクチュエータによって移行する、請求項１に記載の展開可能キャノピーシステム。
【請求項１３】
前記パネルが、少なくとも１つの横方向に配向されたねじ棒を有するねじ駆動電気機械式アクチュエータによって移行する、請求項１２に記載の展開可能キャノピーシステム。
【請求項１４】
前記ねじ駆動電気機械式アクチュエータが、前記パネルの内縁に作用する、請求項１３に記載の展開可能キャノピーシステム。
【請求項１５】
前記パネルが、ヒンジによって結合された窓を備える、請求項１に記載の展開可能キャノピーシステム。
【請求項１６】
前記窓を開いたまま保持するガスストラットをさらに備える、請求項１５に記載の展開可能キャノピーシステム。
【請求項１７】
前記展開位置において前記展開可能キャノピーの後部を囲む上方展開可能テールゲート窓をさらに備える、請求項１に記載の展開可能キャノピーシステム。
【発明の詳細な説明】
【技術分野】
【０００１】
本発明は、一般に、車両用の向上された展開可能キャノピーに関する。
に関する。
【背景技術】
【０００２】
２００７年１２月１３日のＷＯ２００７／１４０６９７Ａ１（ＺＨＡＮＧ  ＨＡＯ）およびＣＮ２９１８１５１Ｙ（本明細書中以下でＤ１と称する）は、車室の上のトラックに沿ってかつ貨物エリアの側縁に沿って摺動して貨物エリアを選択的に囲む長手方向摺動貨物キャノピーを開示する。
【０００３】
２００１年１０月３日のＣＮ１３１５２８０Ａ（ＳＯＮＧ  ＷＥＩ）（本明細書中以下でＤ２と称する）は、同様の長手方向摺動貨物キャノピーであるが、キャノピーを推進するためのカウリングの下に隠されたねじ駆動部を備える長手方向摺動貨物キャノピーを開示する。キャノピーの展開時、貨物室の側壁内に隠された窓は上方に展開して、貨物エリアを囲む。
【０００４】
２００４年１１月１８日のＤＥ１０３４００８５Ａ１（ＤＡＩＭＬＥＲ  ＣＨＲＹＳＬＥＲ  ＡＧ）（本明細書中以下でＤ３と称する）は、同様の長手方向摺動貨物キャノピーであるが、第１の実施形態において下に降りて展開する、キャノピーの外側縁にヒンジで結合された窓および第２の実施形態において上方展開する、貨物室の側壁内に隠された窓を備える長手方向摺動貨物キャノピーを開示する。
【０００５】
２００２年１月２４日のＵＳ２００２／０００８３９６Ａ１（ＤＥ  ＧＡＩＬＬＡＲＤ）（本明細書中以下でＤ４と称する）は、必要でないとき様々な区画に収容され得る実施形態における取り外し可能な窓を備える同様の長手方向摺動貨物キャノピーを開示する。
【０００６】
２００２年１月３日のＤＥ１００２８７７７Ａ１（ＷＥＢＡＳＴＯ  ＶＥＨＩＣＬＥ  ＳＹＳＴＥＭＳ  ＩＮＴＥＲＮＡＴＩＯＮＡＬ  ＧＭＢＨ）（本明細書中以下でＤ５と称する）は、貨物室の側壁内に隠された窓を同様に備える長手方向摺動貨物キャノピーを同様に開示する。
【０００７】
２００４年４月２３日のＦＲ２８４５９６４Ｂ１（ＲＥＮＡＵＬＴ  Ｓ．Ａ．Ｓ）（本明細書中以下でＤ６と称する）は、同様に、第１の実施形態において長手方向摺動貨物キャノピーおよび第２の実施形態において収容可能なストラット、窓、および柱によって展開可能な貨物キャノピーを開示する。
【０００８】
１９９３年１１月０９日のＵＳ５２５９６５９Ａ（ＩＮＡＢＡ）（本明細書中以下でＤ７と称する）は、外側縁トラック内に巻き出されて貨物室のエリアを選択的に囲むサイドカバーを備える実用車両を開示する。
【０００９】
２０１７年４月２６日のＣＮ１０６５８５４７７Ａ（ＺＨＥＮＪＩＡＮＧ  ＣＯＬＬＥＧＥ）（本明細書中以下でＤ８と称する）は、同様に、外側縁トラック内に巻き出されて貨物室のエリアを選択的に囲むサイドカバーを備える実用車両を開示する。
【００１０】
１９９３年２月１６日のＵＳ５１８６２３１Ａ（ＬＥＷＩＳ）（本明細書中以下でＤ９と称する）は、貨物室の上部にわたって巻き出される、長手方向ストラットによって保持される日よけを開示する。
【００１１】
２０１７年１月２６日のＷＯ２０１７／０１３３２８Ａ１（ＲＥＮＡＵＬＴ  Ｓ．Ａ．Ａ）（本明細書中以下でＤ１０と称する）は、車両の屋根および後部を被覆する長手方向巻き出しカバーを開示する。
【００１２】
２００３年３月１２日のＥＰ１２９１２１８Ａ１（ＡＤＡＭ  ＯＰＥＬ  ＡＧ）（本明細書中以下でＤ１１と称する）は、同様に、車両の屋根および後部を被覆する長手方向巻き出しカバーを開示する。
【００１３】
本発明は、従来技術の欠点の少なくとも一部を克服もしくは実質的に改良するだろう、車両用の向上された展開可能キャノピーを提供しようとする、または、少なくとも代替物を提供しようとする。
【００１４】
オーストラリアまたは任意の他の国において、任意の従来技術の情報が本明細書中で参照される場合、係る参照は、その情報が当分野における一般常識の一部を形成するという承認を構成しないことが理解されよう。
【発明の概要】
【００１５】
本明細書中において、客室および貨物室を有する実用車両用の向上された展開可能キャノピーが提供される。
【００１６】
第１の実施形態によれば、システムは、屋根部分およびそこから下方に延在する後方柱を備える展開可能キャノピーを備える。貨物室を選択的に囲むために、屋根部分は客室の屋根トラックに沿って、柱は貨物室の縁トラックに沿って、収容位置から展開位置まで長手方向に摺動する。
【００１７】
展開可能キャノピーは、サイドパネルを収容位置においてその内部にまたはその下に水平方向に収容することを特徴とする。キャノピーの展開時、サイドパネルは、そこから、トラックの配置を用いて、通常は自動機械式アクチュエータ制御下で、水平方向から垂直方向に移行しながら摺動する。
【００１８】
具体的には、トラックの配置は、パネルの内縁が水平方向にその間を摺動する、屋根部分によって形成された水平トラックを備える。トラックの配置は、さらに、パネルの外縁が垂直方向にその間を摺動する垂直トラックを備える。
【００１９】
垂直トラックは、後方柱の前縁上の後方垂直トラックおよび客室または固定垂直柱によって形成された前方垂直トラックによって形成される。
【００２０】
キャノピーの展開時、水平トラックの前方トラックと前方垂直トラックは、パネルの外部前方縁のベアリングが垂直方向から水平方向に移行するようそれらの間で移行可能となるように、一列に並ぶ。
【００２１】
このようなパネルの展開により、従来技術のサイドパネルの、ヒンジにより結合され枢動するタイプの展開と対照的に、サイドパネルをその内縁および外縁の両方を制御することによって展開することが可能となる。具体的には、従来技術の構成は、サイドパネルがまずキャノピーから水平方向に突き出て、それから下方に枢動する第１の構成、およびパネルがキャノピーの内側の中で外方に摺動する第２の構成を備え得る。
【００２２】
しかしながら、第１の構成は、移動の際、障害となりがちであり、ウィンドシアに巻き込まれ得る。さらに、第２の構成は、貨物室内の貨物によって妨害され得る。
【００２３】
対照的に、本構成は、パネルの内縁および外縁の両方を制御し、それによって、キャノピーを越えて突出することまたは貨物室の内部を大幅に通って移行することを回避する。
【００２４】
さらに、本構成は、下部のウェザシールに対して垂直トラックのベアリングへの下方圧力および外側のウェザシールに対して水平トラックのベアリングへの上方圧力によって、パネルが下部のかつ外側のウェザシールに対して密に密閉することを可能とする。
【００２５】
さらに、本構成は、パネルが、枢動するガラス窓などのさらなる構成部品を支持することを可能とする。
【００２６】
パネルは、回転ねじ駆動棒を備えるものといった電気機械的作動によって展開され得る。一対のねじ駆動棒は、パネルの内縁の前方縁および後方縁を駆動し得る。さらに、単一のねじ回し棒は、両パネルを逆方向に駆動し得る。
【００２７】
パネルがそうした作動下でトラックの配置内を移行する方法により、完全展開時にその下縁に最大圧力が加わり、それによって、縁部のウェザシールへの圧力が最大化される。さらに、そうした作動によって加えられる上方への力により、さらに、完全展開時に外側のウェザシールへの圧力が最大化され得る。
【００２８】
第２の実施形態によれば、前方ビルダーバーと後方ビルダーバーの間で、対応する前方継手および後方継手によって長手方向に選択的に係合する取り外し可能なカセットが提供される。
【００２９】
取り外し可能なカセットは、サイドカバーがそこから広がりビルダーバーに沿って内向きトラック内で係合摺動して貨物室の側部を選択的に被覆する長手方向外側開口を備える。
【００３０】
一実施形態では、取り外し可能なカセットは、略卵形の断面を備えるものといった実質的に細長い構造物を備え得、サイドカバーは、その内部でロール状に巻かれ、そこから長手方向外側開口を介して引き出され得る。この実施形態は、補強されたキャンバス生地のサイドカバーといったローラシャッタまたは柔軟なカバーに適し得る。
【００３１】
ロールは、コイルばね引き込み式であり得または代替として電気機械的に作動され得る。
【００３２】
さらなる実施形態によれば、取り外し可能なカセットは、各カバーがそこから展開し得る対向側部における外側開口縁部を画定する１つまたは一対の同一平面上の重なり合う直線チャネルを備え、実質的に平坦であり得る。この実施形態は、連動する金属押出部構成を備える金属カバーなどの柔軟性の低いカバーに適し得る。
【００３３】
一実施形態によれば、前方継手および後方継手は、ビルダーバーの対応する開口まで延在する選択的長手方向延在係止ピンを備え得る。このようにして、取り外し可能なカセットは、係止ピンを引き戻すことによって、ビルダーバーの間で、容易に取り外され得るまたは係合され得る。
【００３４】
実施形態において、内向きトラックは、ビルダーバーの周りに位置するスリーブによって提供され得る。
【００３５】
一態様によれば、客室および貨物室を有する実用車両用の展開可能キャノピーシステムが提供され、システムは展開可能キャノピーを備え、キャノピーは、屋根部分および後方移動柱を備え、キャノピーの前部は、屋根に搭載された客室トラックと係合し、後方柱の遠位端は、展開可能キャノピーが屋根部分が客室の上に実質的に在る収容位置から屋根部分が貨物室を実質的に被覆する展開構成まで長手方向に摺動可能となるように、貨物室の貨物室縁トラックと係合し、屋根部分は、展開構成において貨物室の側部を被覆するように展開するために、サイドパネルを収容位置に水平方向に収容し、各サイドパネルは、内縁および外縁を画定し、内縁は、対向する水平屋根部分トラック内を水平方向に摺動し、外縁は、後方柱と客室の間を、対向する内向き垂直トラック内で垂直方向に摺動し、内向き垂直トラックは、前方かつ後方垂直トラックを備え、水平屋根部分トラックは、前方かつ後方水平トラックを備え、展開位置において、前方水平トラックと垂直トラックは整列する。
【００３６】
システムは、さらに、前方垂直トラックを有する固定前方柱を備え得る。
【００３７】
後方柱は、実質的に直交する後方部分および外側部分を備え得、収容構成において、外側部分は、前方柱と重なるまたは隣接する。
【００３８】
パネルは、トラック内で動くベアリングを備え得る。
【００３９】
ベアリングは、トラック内の拡大したチャネル内で固定され得る。
【００４０】
貨物室の縁トラックは、対向する内向きの入口を有し得る。
【００４１】
展開可能キャノピーシステムは、さらに、対応する開口内で選択的に係止するパネル係止ピンを備え得る。
【００４２】
パネルは、少なくとも１つのサイドパネル位置において対応する開口内で選択的に係止する選択的長手方向延在係止ピンを備え得、開口は、トラックと一列に並んで位置する。
【００４３】
係止ピンは、パネルのベアリングと同軸上にあり得る。
【００４４】
展開可能キャノピーシステムは、さらに、パネルの外縁および貨物室に対してシーリングを行う縁部のシールを備え得る。
【００４５】
展開可能キャノピーシステムは、さらに、パネルの側部外向き縁および柱の対応する内向き縁に対してシーリングを行う外側のシールを備え得る。
【００４６】
パネルは、電気機械式アクチュエータによって移行し得る。
【００４７】
パネルは、少なくとも１つの横方向に配向されたねじ棒を有するねじ駆動電気機械式アクチュエータによって移行し得る。
【００４８】
ねじ駆動電気機械式アクチュエータは、パネルの内縁に作用する。
【００４９】
パネルは、ヒンジによって結合されたまたは摺動する窓を備え得る。
【００５０】
展開可能キャノピーシステムは、さらに、窓を開いたままに保持するガスストラットを備え得る。
【００５１】
展開可能キャノピーシステムは、さらに、展開可能キャノピーの後部を展開位置において囲む上方展開可能テールゲート窓を備え得る。
【００５２】
別の態様によれば、客室および貨物室を有する実用車両用の展開可能キャノピーシステムが提供され、システムは、貨物室の前方ビルダーバーと後方ビルダーバーの間で長手方向に選択的に係合する取り外し可能なカセットを備え、取り外し可能なカセットは、貨物室を選択的に被覆するために、その内部に保持されているサイドカバーがそこから内向き前方かつ後方トラック内に水平方向に供給される外側縁を備え、取り外し可能なカセットは、前方ビルダーバーと後方ビルダーバーの間で選択的に係合するための前方継手および後方継手を備え、取り外し可能なカセットがビルダーバーの間で係合されると、サイドカバーの縁は、各トラック内に延在する。
【００５３】
継手は、ビルダーバーの対応する開口内で選択的に係止した選択的長手方向延在係止ピンを備え得る。
【００５４】
継手は、さらに、取り外し可能なカセットを支持するための、取り外し可能なカセットの下で延在するトラックの下位部を備える。
【００５５】
取り外し可能なカセットは、貨物室の半分よりも小さい幅を備え得る。
【００５６】
取り外し可能なカセットは、その内部に巻かれているカバーのロールを有しかつその対向する外側側部に外側縁を有する実質的に卵型の断面を備え得る。
【００５７】
ロールは、引き込みされたコイルばねであり得る。
【００５８】
ロールは、電動式であり得る。
【００５９】
取り外し可能なカセットは、貨物室の半分よりも大きな幅を備え得る。
【００６０】
取り外し可能なカセットは、実質的に平坦な構成を備え得る。
【００６１】
取り外し可能なカセットは、対向する外側側部における外側縁に各々がつながる１つまたは一対の同一平面上の重なり合う直線チャネルを備え得る。
【００６２】
発明の他の態様も開示される。
【００６３】
本発明の範囲内にあり得る他のいかなる形式にもかかわらず、開示の好ましい実施形態は、単なる例として、添付図面を参照してここで記載されることになる。
【図面の簡単な説明】
【００６４】
【図１】実施形態による実用車両用の展開可能キャノピーの展開の図である。
【図２】実施形態による実用車両用の展開可能キャノピーの展開の図である。
【図３】実施形態による実用車両用の展開可能キャノピーの展開の図である。
【図４】展開可能キャノピーの屋根部分内に水平方向に収納されている状態から実用車両の後方移動柱と客室の間で垂直方向に保持されている状態へのサイドパネルの展開の図である。
【図５】展開可能キャノピーの屋根部分内に水平方向に収納されている状態から実用車両の後方移動柱と客室の間で垂直方向に保持されている状態へのサイドパネルの展開の図である。
【図６】展開可能キャノピーの屋根部分内に水平方向に収納されている状態から実用車両の後方移動柱と客室の間で垂直方向に保持されている状態へのサイドパネルの展開の図である。
【図７】実施形態による、サイドパネルが、後部客室または客室の運転手窓に対して重なって収納されている実施形態の図である。
【図８】サイドパネルの展開を示す展開可能キャノピーの後面図である。
【図９】サイドパネルの展開を示す展開可能キャノピーの後面図である。
【図１０】サイドパネルの展開を示す展開可能キャノピーの後面図である。
【図１１】実施形態による展開可能キャノピーの後面図である。
【図１２】実施形態による展開可能キャノピーのサイドパネルの側面図である。
【図１３】実施形態による展開可能キャノピーのサイドパネルの上面図である。
【図１４】実施形態による客室の屋根よりも長い貨物室を備える実用車両用の展開可能キャノピーの分岐構成の図である。
【図１５】実施形態による客室の屋根よりも長い貨物室を備える実用車両用の展開可能キャノピーの分岐構成の図である。
【図１６】さらなる実施形態による、前方ビルダーバーおよび後方ビルダーバーならびにそれらの間に長手方向に位置する取り外し可能なカセットを備える実用車両の上面斜視図である。
【図１７】実施形態による取り外し可能なカセットからのサイドカバーの展開の図である。
【図１８】取り外し可能なカセットの後面図である。
【図１９】取り外し可能なカセットの後面図である。
【図２０】実施形態における前向きトラックおよび後ろ向きトラックを画定する係合しているスリーブを備えるビルダーバーの構成の上面図である。
【図２１】実施形態による、取り外し可能なカセットおよびビルダーバーの間での係合のための取り外し可能なカセットの継手の側面図である。
【図２２】実施形態による、ビルダーバーおよび外側シール／ガスケットのモジュール構造の図である。
【図２３】実施形態による、平坦でありかつ一対の同一平面上の重なり合う直線チャネルをその内部に備える取り外し可能なカセットのそれぞれ後面図および側面図である。
【図２４】実施形態による、平坦でありかつ一対の同一平面上の重なり合う直線チャネルをその内部に備える取り外し可能なカセットのそれぞれ後面図および側面図である。
【発明を実施するための形態】
【００６５】
図１は、客室１０１および貨物室１０２を備える実用車両１００を示す。貨物室１０２は、外側側壁１０３およびテールゲート１０４を備える。車両１００は、実質的に図２〜３に示すように、展開のために後方に摺動する長手方向摺動展開可能キャノピー１０５を備える。
【００６６】
展開可能キャノピー１０５は、屋根部分１０６および一対の後方移動支持柱１０７を備える。図２に最も良く示すように、後方支持柱１０７は、貨物室の上縁トラック１０８に沿って摺動し、屋根部分１０６の前部分は、屋根トラック１０９と係合しかつそれに沿って摺動する。
【００６７】
展開可能キャノピー１０５は、トラック１０８、１０９に沿って、図３に示すような程度まで後方に摺動する。
【００６８】
展開可能キャノピー１０５は、静止を保つ前方柱１１０を備え得る。この実施形態によれば、後方柱１０７は、約９０°の角度であり得、各々は後方部分および外側部分を備えるものであり、前方位置にあるとき、外側部分が前方柱１１０と重なるまたは隣接する。
【００６９】
一実施形態では、前方柱１１０は、縁トラック１０８より内側に位置し得、後方移動支持柱１０７の外側部分は、縁トラック１０８より外側に位置し得る。このようにして、外側部分は、図１に実質的に示すように前方柱１１０と重なり得る。
【００７０】
しかしながら、実施形態においては、後部移動支持柱１０７の外側部分と前方柱１１０は、後部移動支持柱１０７が縁トラック１０８に沿って前方柱１１０に対して隣接するように、縁トラック１０８に沿って一列に並ぶ。後部移動支持柱１０７の外側部分と前方柱１１０の整列により、パネル１１１の前方縁および後方縁が整列することが可能となる。
【００７１】
完全展開位置において、９０°の後方部分および外側部分は、実質的に、貨物室１０２の側壁１０３およびテールゲート１０４の外側と合致し得る。
【００７２】
実施形態において、展開可能キャノピー１０６は、ねじ駆動アクチュエータ機構に沿って移動し得る。
【００７３】
図４に示すように、展開可能キャノピー１０５は、屋根部分１０６の下または内部に水平方向に収容された一対の展開可能なサイドパネル１１１を備え得る。図４は、収容位置におけるパネル１１１を示す。
【００７４】
図５および６は、貨物エリアの側部を囲むような、展開可能なサイドパネル１１１の展開を示す。具体的には、図５に示すように、各サイドパネル１１１の外縁１１２の対向側部は、前方柱１１０または客室１０１の前方垂直トラック１１３と後方柱１０７の後方垂直トラック１１４の間で移動する。さらに、各パネルの内縁１１５の対向側部は、前方水平屋根部分トラック１１６と後方水平屋根部分トラック１１７の間で摺動する。
【００７５】
図６は、完全に展開され、それによって貨物エリアの側部を囲んでいるサイドパネル１１１を示す。
【００７６】
パネルは、パネル１１１の内縁１１５に作用する一対の前方かつ後方横方向に配向されたねじ棒を備え得るねじ歯車駆動選択機械アクチュエータなどの選択機械アクチュエータによって展開され得る。実施形態において、単一のねじ駆動部が、両サイドパネル１１１の両内縁１１５に作用し得る。
【００７７】
ねじ駆動部によって内縁１１５が外方に変位されると、外縁１１２は同様に下方に押し下げられる。理解し得るように、パネル１１１の枢動を考慮すると、外縁１１２への下方の力は、展開の最終段階で最大化され、それによって、以下にさらなる詳しく記載する外側のウェザシールに対して外縁１１２を押すことが支援される。さらに、ねじ駆動部によって加えられる外方への圧力は、同様に、パネル１１２の外側方部と柱１１０、１０７の内面の間の外側のウェザシールに対して適切に押すような適切な外方圧力を提供し得る。
【００７８】
実施形態において、テールゲート窓１１８は、テールゲート１０４内から上方に摺動し得る。代替実施形態では、テールゲート窓１１２は、下方に枢動してテールゲート１０４の上縁と合致するように、屋根部分１０６の後縁にヒンジ付けされ得る。
【００７９】
図７は、サイドパネル１１１が客室後部窓または客室１０１の運転手窓１１９に対して収容される実施形態を示す。具体的には、この実施形態によれば、サイドパネル１１１の後方縁１２０の対向側部は、上部長手方向屋根キャノピートラック１２１と下部長手方向貨物室縁トラック１２２内で係合かつ摺動する。さらに、前方縁１２１の対向側部は、直交上部屋根キャノピートラック１２２と下部直交貨物室トラック１２３内で係合かつ摺動する。収容時、サイドパネル１１１は、客室後部窓または運転手窓１１９に対して、互いと重なり得る。このようにして、展開は、今度はパネル１１１の自動電気機械的展開を備え得る。
【００８０】
図８〜１０は、様々な展開段階におけるサイドパネル１１１を示す展開可能キャノピーの断面立面図を示し、図８は、収容位置を示し、図９は、中間展開構成を示し、図１０は、完全展開構成を示す。
【００８１】
実施形態（図示せず）において、パネル１１１は、屋根部分１０６の上部外側縁から、キャノピー１０５の内部を通って実質的に垂直な展開位置まで移行しながら枢動し得る。この実施形態の変形例によれば、パネル１１１は、屋根部分１０６の上部外側縁から外方に摺動し、そして実質的に垂直な展開位置まで下方に枢動し得る。
【００８２】
これらの図は、それぞれ前方柱１１０／客室１０１および後部柱１０７の内向き側における垂直柱トラック１１３、１１４を示す。同様に、水平屋根部分１０６のトラック１１６、１１７も示される。
【００８３】
パネル１１１は、水平屋根部分トラック１１６、１１７および垂直柱トラック１１３、１１４に沿って動くベアリング１２４を備える。具体的には、外部ベアリング１２４Ａは、柱トラック１１３、１１４内を垂直方向に動き、内部ベアリング１２４Ｂは、水平屋根部分トラック１１６、１１７に沿って動く。
【００８４】
パネル１１１は、さらに、パネル１１１を適所に係止するための長手方向外方に延在する係止ピン１２５を備え得る。実施形態において、係止ピン１２５は、関連するベアリング１２４と同軸上に位置し得る。例えば、図１０に示すような展開構成時、係止ピン１２５は、外部延在して、柱１１０、１０７内に画定された対応する開口内で係止を行い得る。係止ピン１２５はまた、パネル１１１を図８に示す収容位置で係止するのにも利用され得る。別の係止法も用いられ得る。
【００８５】
係止ピン１２５は、位置センサを有する電気機械式アクチュエータによって自動的に作動されて、係止ピンを適切なサイドパネル位置で作動させ得る。
【００８６】
パネル１１１が電磁的に作動される実施形態において、パネル１１１は、パネル１１１を物理的に係合解除する緊急解除ハンドル（図示せず）を備え得る。
【００８７】
パネル１１１は、その内部に中心に配置されたガラス窓１２７を備え得る。ガラス窓１２７は、枢動的に開くことが可能であるようにヒンジによって結合されかつガスストラット１２６によって開位置に保持され得る。
【００８８】
パネル１１は、さらに、貨物室１０３の上縁１０８に対してシーリングを行う貨物室の縁部のウェザシール１２８を備え得る。さらに、パネルは、それぞれの柱１０７、１１０に対してシーリングを行う柱のウェザシール１２９を備え得る。
【００８９】
上述の実施形態が客室の上のトラック１０９から展開する屋根部分１０６を示すのに対し、図１１は、客室の屋根に取り付けられかつそこから屋根部分１０６が後方に摺動するハウジングスリーブ１３０を備える実施形態を示す。
【００９０】
図１１はまた、内向きである貨物室縁トラック１０８も示し、一実施形態によれば、そこで沿って動くために横方向にその内部で延在する、後方柱１０７のベアリング１３１を備える。ベアリング１３１は、そこから引き出されないように図示するようチャネル内に固定され得る。さらに、同様に固定され得る、屋根部分１０６の下に、対応するチャネル１３２によって係合される客室トラック１０９が図示される。図１１はまた、屋根部分１０６に向かって約８０°角度のある、キャノピー１０５の側縁も図示する。
【００９１】
図１２は、ガスストラット１２６によって開いたまま保持されているガラス窓１２７を備える、柱１０７、１１０の間のパネル１１１の側面図を示す。
【００９２】
図１３は、前方柱１１０と後方柱１０７の間のパネル１１１の上面図を示し、後方柱１０７は、貨物室上縁トラック１０８に沿って摺動する。ガスストラット１２６によって開いたまま保持されているガラス窓１２７を備えるパネル１１１が図示される。
【００９３】
垂直方向に動くベアリング１２４Ａが、固定のためより狭い入口を通って延在するステム１３４によってその内部で係合かつ保持される、より広い垂直方向動きチャネル１３３を各々が備える前方垂直柱トラック１１３および後方垂直柱トラック１１４も図示される。
【００９４】
柱１０７、１１０内の係止ピン開口１３５内に選択的に延在する、ベアリング１２４Ａと同軸上に位置し得る選択的展開可能係止ピン１２５も図示される。
【００９５】
実施形態において、防水パネルが前方柱１１０との間に設けられて、貨物室を耐候性とし得る。
【００９６】
図１４および１５は、貨物室が運転室の屋根エリアよりも長い実施形態を示す。この実施形態によれば、展開可能キャノピー１０５は、完全展開時、ストラット１３８によって離間される前方部分１３６および後方部分１３７を備えるように分岐される。収容時、部分１３６、１３７は、客室屋根上で隣接して位置または重なり得る。
【００９７】
展開の際、両部分１３６、１３７は、前方部分１３６がその移動限界程度に達するときまで後方に移動し、その後、後方部分１３７は、図１４に示す移動限界程度までストラット１３８に沿って後方移動を続け得る。取り外し可能な結合用屋根部分１３９は、前方部分１３６と後方部分１３７の間のキャノピーを完成させるように、ストラット１３８の上に位置し得る。その後、図１５に示すように、サイドパネル１４０は、貨物室１０２の側壁１０３から上方に展開し得る。実施形態において、サイドパネル１４０は、貨物室１０２のホイールアーチに貫入しないようなローラタイプのサイドパネルであり得る。
【００９８】
図１６は、前方ビルダーバーおよび後方ビルダーバーを備える実用車両を示す。
【００９９】
前方ビルダーバー１４１と後方ビルダーバー１４２の間で長手方向に係合する取り外し可能なカセット１４３が図示される。カセット１４３は、貨物室１０２のエリアを選択的に囲むように、図１７に示すように前方および後方トラック１４７の間で展開可能カバー１４５がそこから巻き出され得る外側縦方向開口を備える。
【０１００】
図１８は、カセット１４３およびその内部で巻かれている展開可能カバー１４５を示す後面図を示す。カバー１４５は、外側開口１４４から、トラック１４７の始部内へ延在し、それは、水平部分１４８から垂直部分１４９に移行して貨物室側壁１０３の上縁１５０に合致する。図示する実施形態において、シールまたはガスケット１５１は、カバー１４４のそれぞれの遠位縁に対してシーリングを行うように側壁１０３の上縁の上に位置し得る。
【０１０１】
カバー１４４は、バトンによって長手方向に強化されている柔軟なファブリック（キャンバスなど）の構造物を備え得る。代替として、カバー１４４は、複数の相互係止する長手方向金属押出部を備える金属製であり得る。
【０１０２】
実施形態において、カバー１４５は、コイルバネの動作下で引き込みされ得る。代替として、カバー１４５を巻くことおよび巻き出すことは電動式とされ得る。
【０１０３】
図１８は、カセット１４３を上部に保持するための座部１５２を画定するための、カセット１４３の下につながるトラック１４６、１４７の下位部を示す。さらに、内向き開口１５３は、図２１に図示する長手方向延在係止ピン１５４の選択的な係合のために、ビルダーバー１４１、１４２内に形成され得る。
【０１０４】
図２０は、ビルダーバー１４１、１４２の構成の上面図を示す。対向するカバートラック１４６、１４７は、ビルダーバー１４１、１４２の周りに位置するスリーブ１５５によって設けられ得、または、１４６、１４７は、ビルダーバーに直接取り付けられ得る。カバー１４５の縁部をその内部で係合するためのその内部の溝１５６を画定するシール／ガスケット１５１も図示される。構成は、さらに、後部ビルダーバー１４７内に位置し得る後部二重扉１５７を備え得る。後部二重扉１５７などは、後部ビルダーバー１４２の内縁と摩擦係合し得る構成内に位置し得る。代替として、構成は、後部ビルダーバー１４２の対応する開口内で係止を行う拡張可能係止ピンを備える係止ピン構成を備え得る。
【０１０５】
図２１は、そこからカバー１４５が供給される長手方向開口１４４を示すカセット１４３の側面図を示す。さらに、対応する前方および後方係止ピン１５４が示される。
【０１０６】
図２２は、サイドシール／ガスケット１５１が、円筒部１６０の上に位置しかつ係止ピン１６１によってそれに係止され得る端部コレット１５９を備えるモジュラー片１５８によって提供され得る実施形態を示す。円筒部１６０は、貨物室１０２の縁部の対応する開口を通して固定した下側ボルト１６２を備える円筒部１６０Ａを備え得る。さらに、円筒部１６０は、貨物室の縁部の周りを締め付けるクランプ１６３を備える締め付け円筒部１６０Ｂを備え得る。
【０１０７】
円筒部１６０は、ビルダーバーと合致しかつ同軸スペーサを有し得る。
【０１０８】
図２３は、取り外し可能なカセット１４３が平坦であり、カバー１４５、１４５が同一平面上の直線チャネル１６５内に配置されている実施形態の後面図を示す。対向する各縁部開口１４４は、各トラック１４６、１４７につながる。
【０１０９】
直線チャネル１６５は、平台実用車両用といった、サイドカバー１４５が屋根幅よりも長い必要がある場合に図示するように重なり得る。
【０１１０】
図２４は、開口１６７内に選択的に位置しかつ係止ピン１６８によってその内部に保持されるスタブ１６６を備える平坦な取り外し可能なカセット１４３の側面図を示す。
【０１１１】
前述の記載は、説明の目的で、発明の完全な理解を提供するために、具体的な名称を用いた。しかしながら、発明を実施するのに具体的な詳細は必須でないことが当業者に明らかだろう。かくして、発明の具体的な実施形態の前述の記載は、例示および説明の目的で提示される。それら説明は、包括的であることまたは発明を開示された正確な形式に限定することの意図はなく、すなわち、明らかに、多数の変更例および変形例が、上記の教示を鑑みて実現可能である。実施形態は、発明の原則およびその実際の適用を最も良く説明するために選択かつ記載されたものであり、それによって、他の当業者が発明および様々な変更を有する様々な実施形態を、検討される特定の使用に適するように最も良く利用することが可能になる。以下の特許請求の範囲およびそれらの均等物が発明の範囲を規定することが意図される。
【図１】
2020519531.tif 000003
【図２】
2020519531.tif 000004
【図３】
2020519531.tif 000005
【図４】
2020519531.tif 000006
【図５】
2020519531.tif 000007
【図６】
2020519531.tif 000008
【図７】
2020519531.tif 000009
【図８】
2020519531.tif 000010
【図９】
2020519531.tif 000011
【図１０】
2020519531.tif 000012
【図１１】
2020519531.tif 000013
【図１２】
2020519531.tif 000014
【図１３】
2020519531.tif 000015
【図１４】
2020519531.tif 000016
【図１５】
2020519531.tif 000017
【図１６】
2020519531.tif 000018
【図１７】
2020519531.tif 000019
【図１８】
2020519531.tif 000020
【図１９】
2020519531.tif 000021
【図２０】
2020519531.tif 000022
【図２１】
2020519531.tif 000023
【図２２】
2020519531.tif 000024
【図２３】
2020519531.tif 000025
【図２４】
2020519531.tif 000026
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
客室および貨物室を有する実用車両用の展開可能キャノピーシステムであって、前記システムは、展開可能キャノピーを備え、前記キャノピーは、屋根部分および後方移動柱を備え、前記キャノピーの前部は、屋根に搭載された客室トラックと係合し、前記後方柱の遠位端は、前記展開可能キャノピーが、前記屋根部分が実質的に前記客室の上に在る収容位置から前記屋根部分が前記貨物室を実質的に被覆する展開構成に長手方向に摺動可能となるように、前記貨物室の貨物室縁トラックと係合し、前記屋根部分は、前記展開構成において前記貨物室の側部を被覆する展開のために、サイドパネルを前記収容位置に水平方向に収容し、各サイドパネルは剛性であり、それによって、内縁および外縁を画定し、前記内縁は、対向する水平屋根部分トラック内を水平方向に摺動し、前記外縁は、各サイドパネルが水平と垂直との間で回転するように、前記後方柱と前記客室の間で、対向する内向き垂直トラック内を垂直方向に摺動し、前記内向き垂直トラックは、前方および後方垂直トラックを備え、前記水平屋根部分トラックは、前方および後方水平トラックを備え、前記展開位置において、前記前方水平トラックと垂直トラックは整列する、展開可能キャノピーシステム。
【請求項２】
前記システムが、さらに、前記前方垂直トラックを有する固定前方柱を備える、請求項１に記載の展開可能キャノピーシステム。
【請求項３】
前記後方柱が、実質的に直交する後方部分および外側部分を備え、前記収容構成において、前記外側部分は、前記前方柱に重なるまたは隣接する、請求項２に記載の展開可能キャノピーシステム。
【請求項４】
前記パネルが、前記トラック内で動くベアリングを備える、請求項１に記載の展開可能キャノピーシステム。
【請求項５】
前記ベアリングが、前記トラック内の拡大チャネル内に固定されている、請求項４に記載の展開可能キャノピーシステム。
【請求項６】
前記貨物室縁トラックが、対向する内向きの入口を有する、請求項５に記載の展開可能キャノピーシステム。
【請求項７】
対応する開口内で選択的に係止するパネル係止ピンをさらに備える、請求項１に記載の展開可能キャノピーシステム。
【請求項８】
前記パネルが、少なくとも１つのサイドパネル位置において対応する開口内で選択的に係止する選択的長手方向延在係止ピンを備え、前記開口は、前記トラックと一列に並んで位置する、請求項１に記載の展開可能キャノピーシステム。
【請求項９】
前記係止ピンが、前記パネルのベアリングと同軸上にある、請求項８に記載の展開可能キャノピーシステム。
【請求項１０】
前記パネルの外縁および前記貨物室に対してシーリングを行う縁部のシールをさらに備える、請求項１に記載の展開可能キャノピーシステム。
【請求項１１】
前記パネルの側部外向き縁および前記柱の対応する内向き縁に対してシーリングを行う外側のシールをさらに備える、請求項１に記載の展開可能キャノピーシステム。
【請求項１２】
前記パネルが、電気機械式アクチュエータによって移行する、請求項１に記載の展開可能キャノピーシステム。
【請求項１３】
前記パネルが、少なくとも１つの横方向に配向されたねじ棒を有するねじ駆動電気機械式アクチュエータによって移行する、請求項１２に記載の展開可能キャノピーシステム。
【請求項１４】
前記ねじ駆動電気機械式アクチュエータが、前記パネルの内縁に作用する、請求項１３に記載の展開可能キャノピーシステム。
【請求項１５】
前記パネルが、ヒンジによって結合された窓を備える、請求項１に記載の展開可能キャノピーシステム。
【請求項１６】
前記窓を開いたまま保持するガスストラットをさらに備える、請求項１５に記載の展開可能キャノピーシステム。
【請求項１７】
前記展開位置において前記展開可能キャノピーの後部を囲む上方展開可能テールゲート窓をさらに備える、請求項１に記載の展開可能キャノピーシステム。
【国際調査報告】
2020519531.tif 000027
2020519531.tif 000028
2020519531.tif 000029